(57)【要約】【課題】  地震発生を受けて遮断される分岐電路群と遮断されない分岐電路群とを明確に分けることができる感震遮断機能付分電盤を提供する。【解決手段】  単相３線式電路の引き込み線が接続された第１主幹ＥＬＢ１ａを収容した第１のハウジング１１ａと、第１主幹ＥＬＢ１ａの２次側電路Ａ２が引き込み線として接続された第２主幹ＥＬＢ１ｂを収容した第２のハウジング１１ｂとを有し、第１のハウジング１１ａに第１主幹ＥＬＢ１１ａの２次側電路Ａ２に接続された複数の分岐ブレーカ２を組み付ける一方、第２のハウジング１１ｂに第２主幹ＥＬＢ１ｂの２次側電路Ａ３に接続された複数の分岐ブレーカ２を組み付けると共に、特定の震度以上の地震を感知したらその後の所定のタイミングで第２主幹ＥＬＢ１ｂのみ漏電遮断動作させる擬似漏電電流を生成する感震リレー４を組み付けた。【選択図】  図１
2017216777.tif 000002
【特許請求の範囲】
【請求項１】
電力系統からの引き込み線が接続された第１主幹漏電ブレーカを収容した第１のハウジングと、
前記第１主幹漏電ブレーカの２次側電路が引き込み線として接続された第２主幹漏電ブレーカを収容した第２のハウジングとを有し、
前記第１のハウジングには、前記第１主幹漏電ブレーカの２次側電路に接続された複数の分岐ブレーカが組み付けられる一方、
前記第２のハウジングには、前記第２主幹漏電ブレーカの２次側電路に接続された複数の分岐ブレーカが組み付けられると共に、特定の震度以上の地震を感知したらその後の所定のタイミングで前記第２主幹漏電ブレーカのみ漏電遮断動作させる擬似漏電電流を生成する感震リレーが組み付けられていることを特徴とする感震遮断機能付分電盤。
【請求項２】
電力系統からの引き込み線が接続された第１主幹漏電ブレーカを収容した第１のハウジングと、
前記電力系統から分岐された引き込み線が接続された第２主幹漏電ブレーカを収容した第２のハウジングとを有し、
前記第１のハウジングには、前記第１主幹漏電ブレーカの２次側電路に接続された複数の分岐ブレーカが組み付けられる一方、
前記第２のハウジングには、前記第２主幹漏電ブレーカの２次側電路に接続された複数の分岐ブレーカが組み付けられると共に、特定の震度以上の地震を感知したらその後の所定のタイミングで前記第２主幹漏電ブレーカのみ漏電遮断動作させる擬似漏電電流を生成する感震リレーが組み付けられていることを特徴とする感震遮断機能付分電盤。
【請求項３】
電力系統からの引き込み線が接続された第１主幹漏電ブレーカを収容した第１のハウジングと、
前記第１主幹漏電ブレーカの２次側電路から分岐した電路を引き込み線として接続した第２主幹漏電ブレーカを収容した第２のハウジングとを有し、
前記第１のハウジングには、前記第１主幹漏電ブレーカの２次側電路に接続された複数の分岐ブレーカが組み付けられ、
前記第２のハウジングには、前記第２主幹漏電ブレーカの２次側電路に接続された複数の分岐ブレーカが組み付けられると共に、特定の震度以上の地震を感知したらその後の所定のタイミングで前記第２主幹漏電ブレーカのみ漏電遮断動作させる擬似漏電電流を生成する感震リレーが組み付けられていることを特徴とする感震遮断機能付分電盤。
【発明の詳細な説明】
【技術分野】
【０００１】
本発明は、擬似漏電を発生させる感震リレーを備えて、地震が発生したら主幹漏電ブレーカが遮断動作する感震遮断機能付分電盤に関する。
【背景技術】
【０００２】
従来より感震遮断機能を備えた分電盤がある。例えば、特許文献１では、主幹漏電ブレーカの電路にコントロールユニット（感震リレー）を接続して、感震リレーに内蔵されている感震センサが地震を感知したら、その後停電発生のタイミング或いは復電のタイミング等所定のタイミングで主幹漏電ブレーカの接続電路に擬似漏電電流を発生させて遅延遮断動作させた。
【先行技術文献】
【特許文献】
【０００３】
【特許文献１】特開平９−２１５１７８号公報
【発明の概要】
【発明が解決しようとする課題】
【０００４】
上記従来の感震遮断機能付分電盤では、感震リレーを主幹漏電ブレーカに接続することで、主幹漏電ブレーカに感震遮断機能を組み込むこと無く、二次側に接続されている全ての負荷の電源を地震発生後の所定のタイミングで遮断動作させるため、居住者はスムーズな避難が可能であった。
しかしながら、負荷の中には地震が発生しても或いは地震後復電したら引き続き通電状態を維持させたい機器（例えば照明）があり、そのような電気機器を接続する回路を分電盤に設けるには、主幹漏電ブレーカの一次側を分岐して一次送り回路を設けて対応していた。そのため、分電盤が大型化して専用のハウジングを必要としたし、１つのハウジングに感震遮断する電路と感震遮断しない電路とが混在する事になり、メンテナンスや回路の増設時に接続ミスが発生し易かった。
【０００５】
そこで、本発明はこのような問題点に鑑み、地震発生を受けて遮断される分岐電路群と遮断されない分岐電路群とを明確に分けることができる感震遮断機能付分電盤を提供することを目的としている。
【課題を解決するための手段】
【０００６】
上記課題を解決する為に、請求項１の発明は、電力系統からの引き込み線が接続された第１主幹漏電ブレーカを収容した第１のハウジングと、第１主幹漏電ブレーカの２次側電路が引き込み線として接続された第２主幹漏電ブレーカを収容した第２のハウジングとを有し、第１のハウジングには、第１主幹漏電ブレーカの２次側電路に接続された複数の分岐ブレーカが組み付けられる一方、第２のハウジングには、第２主幹漏電ブレーカの２次側電路に接続された複数の分岐ブレーカが組み付けられると共に、特定の震度以上の地震を感知したらその後の所定のタイミングで第２主幹漏電ブレーカのみ漏電遮断動作させる擬似漏電電流を生成する感震リレーが組み付けられていることを特徴とする。
【０００７】
請求項２の発明は、電力系統からの引き込み線が接続された第１主幹漏電ブレーカを収容した第１のハウジングと、電力系統から分岐された引き込み線が接続された第２主幹漏電ブレーカを収容した第２のハウジングとを有し、第１のハウジングには、第１主幹漏電ブレーカの２次側電路に接続された複数の分岐ブレーカが組み付けられる一方、第２のハウジングには、第２主幹漏電ブレーカの２次側電路に接続された複数の分岐ブレーカが組み付けられると共に、特定の震度以上の地震を感知したらその後の所定のタイミングで第２主幹漏電ブレーカのみ漏電遮断動作させる擬似漏電電流を生成する感震リレーが組み付けられていることを特徴とする。
【０００８】
請求項３の発明は、電力系統からの引き込み線が接続された第１主幹漏電ブレーカを収容した第１のハウジングと、第１主幹漏電ブレーカの２次側電路から分岐した電路を引き込み線として接続した第２主幹漏電ブレーカを収容した第２のハウジングとを有し、第１のハウジングには、第１主幹漏電ブレーカの２次側電路に接続された複数の分岐ブレーカが組み付けられ、第２のハウジングには、第２主幹漏電ブレーカの２次側電路に接続された複数の分岐ブレーカが組み付けられると共に、特定の震度以上の地震を感知したらその後の所定のタイミングで第２主幹漏電ブレーカのみ漏電遮断動作させる擬似漏電電流を生成する感震リレーが組み付けられていることを特徴とする。
【発明の効果】
【０００９】
本発明によれば、感震遮断する分岐電路群と、感震遮断しない分岐電路群とをハウジングを分けて分離したものであるから、感震遮断する電路と感震遮断しない電路とが混在することがなく、メンテナンスや回路の変更増設時に誤接続の発生を防止できる。
【図面の簡単な説明】
【００１０】
【図１】本発明に係る感震遮断機能付分電盤の一例を示す説明図である。
【図２】感震リレーの回路ブロック図である。
【図３】感震遮断機能付分電盤の他の例を示す構成図である。
【図４】感震遮断機能付分電盤の他の例を示す構成図である。
【発明を実施するための形態】
【００１１】
以下、本発明を具体化した実施の形態を、図面を参照して詳細に説明する。図１は本発明に係る感震遮断機能付分電盤の一例を示す説明図であり、分電盤は第１のハウジング１１ａと第２のハウジング１１ｂとの２つのハウジングにより構成され、第１のハウジング１１ａに、商用電力系統からの引き込み線Ａ１が接続されている。引き込み線Ａ１は、２本の電圧相Ｌ１，Ｌ２と中性相Ｎの３本から成る単相３線式電路（以下、単に「電路」とする。）Ａから成り、双方のハウジング１１ａ，１１ｂにおいて複数の分岐電路が形成されている。
【００１２】
第１のハウジング１１ａには主幹漏電ブレーカ（第１主幹ＥＬＢ）１ａ、複数の分岐ブレーカ２が収納され、第２のハウジング１１ｂには主幹漏電ブレーカ（第２主幹ＥＬＢ）１ｂ、複数の分岐ブレーカ２、更に感震リレー４が収納されている。
【００１３】
引き込み線Ａ１は、第１主幹ＥＬＢ１ａの一次側に接続され、二次側電路Ａ２には分岐ブレーカ２が接続されて複数の分岐電路Ｂ１が形成されている。そして、二次側電路Ａ２は第１のハウジング１１ａ外へ延接され、第２のハウジング１１ｂの引き込み線を構成し、第２主幹ＥＬＢ１ｂの一次側に接続されている。
【００１４】
第２主幹ＥＬＢ１ｂの二次側電路Ａ３には分岐ブレーカ２が接続され、複数の分岐電路Ｂ２が形成されている。また、第２のハウジング１１ｂには第２主幹ＥＬＢ１ｂを挟んだ電路Ａに感震リレー４が接続され、特定の震度以上の地震が発生したら、第２主幹ＥＬＢ１ｂを挟んだ第２のハウジング１１ｂ内の電路Ａに擬似漏電を発生させて第２主幹ＥＬＢ１ｂが遮断動作するよう構成されている。
【００１５】
図２は感震リレー４の回路ブロック図を示している。図２に示すように、発生した地震を感知して揺れに応じた信号を出力する感震センサ４１、擬似漏電を出力する擬似漏電出力部４２、地震発生と判断してから擬似漏電を出力するまでの遅延時間を設定する時間設定部４３、感震センサ４１からの揺れ情報を受けて震度を判定する感震リレーＣＰＵ４４等を備えている。尚、擬似漏電出力部４２と対を成す入力部、感震リレー４を駆動する電源部を有しているがここでは省略してある。
【００１６】
感震リレーＣＰＵ４４は、感震センサ４１の計測データから、感知した地震が震度５等の予め設定された震度或いはそれより大きい震度である場合に、予め設定した一定時間のカウントを開始し、カウントアップしたら擬似漏電出力部４２から接続先の電路に擬似漏電電流を流す。即ち、擬似漏電を発生させる。
【００１７】
具体的に、図１に示すように感震リレー４の擬似漏電出力部４２は、第２主幹ＥＬＢ１ｂの一次側電路Ａ２の２つの電圧相Ｌ１，Ｌ２のうちの一方の電圧相Ｌ２に接続線Ｓ１により接続され、感震リレー４の入力部は接続線Ｓ２により二次側電路Ａ３の中性線Ｎに接続されている。
このように接続されることで、感震リレー４が予め設定された特定の震度、或いはそれ以上の震度の地震を感知すると、感知してから３分等の一定時間経過後に擬似漏電出力部４２から擬似漏電電流を出力する。即ち、第２主幹ＥＬＢ１ｂの二次側から一次側に流れ込む電路が形成され、第２主幹ＥＬＢ１ｂが漏電発生と判断して遮断動作する。その結果、第２のハウジング１１ｂに形成された分岐電路群である全ての分岐電路Ｂ２は商用電力から遮断される。
【００１８】
尚、この時感震リレー４が出力する擬似漏電電流は、第２のハウジング１１ｂ内で完結するため、第１主幹ＥＬＢ１ａが漏電を感知する事はない。即ち、第１主幹ＥＬＢ１ａが遮断動作することがなく、第１にハウジング１１ａに形成された分岐電路群である全ての分岐電路Ｂ１は商用電力の供給が継続される。
【００１９】
このように、感震遮断する分岐電路群と、感震遮断しない分岐電路群とをハウジングにより分離したものであるから、感震遮断する電路と感震遮断しない電路とが混在することがなく、メンテナンスや回路の変更増設時に誤接続の発生を防止できる。
【００２０】
図３，４は、感震遮断機能付分電盤の他の例を示している。何れも上記図１とは第２のハウジング１１ｂへの引き込み線の形態が異なっており、他の構成は同一である。以下、図１と共通する構成要素には同一の符号を付与し説明を省略し、異なる部分を説明する。
図３では、商用電力系統からの引き込み線Ａ１が分岐され、分岐した引き込み線Ａ４が第２主幹ＥＬＢ１ｂの一次側に接続されている。
このように、第２のハウジング１１ｂへの引き込み線は第１のハウジング１１ａを介さなくても良く、感震リレー４が地震を感知したら第２主幹ＥＬＢ１ｂのみ漏電遮断動作させることができ、感震遮断する分岐電路群と感震遮断しない分岐電路群とを分離できる。
また、実際に漏電が発生した際に、漏電が発生したハウジング内の分岐電路群のみ電源が遮断され、他方のハウジングは通電が維持され、全ての分岐電路が遮断されることがない。
【００２１】
図４では、第１のハウジング１１ａに３端子分岐ブレーカ３を組み付けて、第１主幹ＥＬＢ１ａの二次側電路Ａ２から分岐した電路Ｂ３を第２のハウジング１１ｂの引き込み線Ａ５としている。
このように、第１のハウジング１１ａの分岐電路を第２のハウジング１１ｂの引き込み線としても良く、感震リレー４が地震を感知したら第２主幹ＥＬＢ１ｂのみ漏電遮断動作し、感震遮断する分岐電路群と感震遮断しない分岐電路群とを分離できる。
【００２２】
尚、感震リレー４は、地震感知後一定の時間が経過したら擬似漏電を出力するが、遅延動作のタイミングを時間で規定しなくとも良く、地震発生による停電に合わせても良いし、その後の復電に合わせても良い。また、単相３線式電路について説明したが、単相２線式電路、或いは三相３線式電路に対しても同様に実施できる。
【符号の説明】
【００２３】
１ａ・・第１主幹漏電ブレーカ、１ｂ・・第２主幹漏電ブレーカ、２・・分岐ブレーカ、３・・３端子分岐ブレーカ、４・・感震リレー、１１ａ・・第１のハウジング、１１ｂ第２のハウジング、４１・・感震センサ、４２・・擬似漏電出力部、４３・・時間設定部、４４・・感震リレーＣＰＵ、Ａ・・単相３線式電路、Ｂ１，Ｂ２・・分岐電路。
【図１】
2017216777.tif 000003
【図２】
2017216777.tif 000004
【図３】
2017216777.tif 000005
【図４】
2017216777.tif 000006